(57)【特許請求の範囲】
【請求項１】
鍵盤部を備えた楽器本体と、
前記鍵盤部を開閉可能に覆う鍵盤蓋と、
前記鍵盤蓋に譜面を載せて立て掛けるための譜面受けと、
前記鍵盤蓋の前後方向にスライド可能に設けられ、前記鍵盤蓋が楽器本体の後方に起立する際に、前記鍵盤蓋の前方向にスライドするスライダ部と、
前記楽器本体に設けられ、前記鍵盤蓋が起立して開いた状態から閉じる際に、前記スライダ部を前記鍵盤蓋の後方向にスライドさせるスライド制御部と、
前記スライダ部のスライド動作に応じて前記譜面受けを連動させて回転させる連結部材と、
を備えていることを特徴とする鍵盤楽器。
【請求項２】
請求項１に記載の鍵盤楽器において、前記連結部材は、前記鍵盤蓋が回転して起立した状態に開く際に、前記譜面受けを前記鍵盤蓋から離れる方向に回転させて前記譜面が載せられる状態に開く構成であることを特徴とする鍵盤楽器。
【請求項３】
請求項１または請求項２のいずれに記載の鍵盤楽器において、前記スライド制御部は、前記鍵盤蓋がほぼ垂直に起立して開いた状態から更に開く方向に向けて回転する際に、前記スライダ部を押し上げる構成であることを特徴とする鍵盤楽器。
【請求項４】
請求項１〜請求項３のいずれかに記載の鍵盤楽器において、前記連結部材は、その一端部が前記スライダ部に取り付けられ、他端部が前記譜面受けの回転中心から偏心した位置に取り付けられた連結線材であることを特徴とする鍵盤楽器。
【請求項５】
請求項１〜請求項４のいずれかに記載の鍵盤楽器において、前記連結部材は、前記スライダ部に設けられたラックギアと、前記譜面受けに設けられて前記ラックギアに噛み合って回転するピニオンギアとを備えていることを特徴とする鍵盤楽器。
【発明の詳細な説明】
【技術分野】
【０００１】
この発明は、鍵盤楽器に関する。
【背景技術】
【０００２】
従来、鍵盤楽器の譜面台装置においては、特許文献１に記載されているように、鍵盤部を備えた楽器本体に鍵盤部を開閉可能に覆う鍵盤蓋が回転可能に取り付けられ、この鍵盤蓋に譜面を載せて立て掛けるための譜面受けが回転可能に取り付けられた構成のものが知られている。
【先行技術文献】
【特許文献】
【０００３】
【特許文献１】特開平０５−３０７３８２号公報
【０００４】
この種の譜面台装置は、鍵盤蓋に蝶番の一方の片部を取り付け、譜面受けに蝶番の他方の片部を取り付け、この両方の片部を中空軸によって回転可能に連結し、この中空軸にその軸方向に沿ってスリットを形成して、中空軸にその径方向に弾力をもたせることにより、蝶番の各片部と中空軸との間に摩擦力を発生させて、譜面受けが自重によって勝手に回転しないように構成されている。
【発明の概要】
【発明が解決しようとする課題】
【０００５】
しかしながら、このような従来の譜面台装置では、鍵盤蓋を閉じる際に、譜面受けを回転させて閉じた状態、つまり譜面受けを鍵盤蓋に接近させて閉じた状態にしておかなければ、譜面受けが楽器本体の上面に当接して楽器本体の上面を傷つけたり、また楽器本体内の鍵盤部に当接して各鍵を傷つけたりするという問題がある。このような問題は、譜面受けを手動操作によって回転させる構成であることにより、譜面受けの閉じ忘れが生じることによって起こる。
【０００６】
この発明が解決しようとする課題は、譜面受けの閉じ忘れを確実に防ぐことができる鍵盤楽器を提供することである。
【課題を解決するための手段】
【０００７】
この発明は、鍵盤部を備えた楽器本体と、前記鍵盤部を開閉可能に覆う鍵盤蓋と、
前記鍵盤蓋に譜面を載せて立て掛けるための譜面受けと、前記鍵盤蓋の前後方向にスライド可能に設けられ、前記鍵盤蓋が後方に起立する際に、前記鍵盤蓋の前方向にスライドするスライダ部と、前記楽器本体に設けられ、前記鍵盤蓋が起立して開いた状態から閉じる際に、前記スライダ部を前記鍵盤蓋の後方向にスライドさせるスライド制御部と、前記スライダ部のスライド動作に応じて前記譜面受けを連動させて回転させる連結部材と、を備えていることを特徴とする鍵盤楽器である。
【発明の効果】
【０００８】
この発明によれば、鍵盤蓋を起立させて開いた状態から閉じる方向に向けて回転させる際に、連動機構によって譜面受けを自動的に閉じる方向に回転させることができる。このため、譜面受けの閉じ忘れを確実に防ぐことができ、これにより楽器本体の上面を傷つけたり、また楽器本体内の鍵盤部の各鍵を傷つけたりするのを確実に防ぐことができる。
【図面の簡単な説明】
【０００９】
【図１】この発明を鍵盤楽器に適用した実施形態１において、鍵盤蓋を閉じた状態を示した断面図である。
【図２】図１に示された鍵盤楽器において、鍵盤蓋を開いている途中の状態を示した断面図である。
【図３】図２に示された鍵盤楽器において、鍵盤蓋を更に開いてほぼ垂直に起立させて開いた状態を示した断面図である。
【図４】図３に示された鍵盤楽器において、鍵盤蓋を更に開いて楽器本体の後方に向けて少し傾けて起立させた状態を示した断面図である。
【図５】図３に示された鍵盤楽器の鍵盤蓋がほぼ垂直に起立して開いた状態を示した要部の拡大断面図である。
【図６】図５に示された鍵盤楽器の鍵盤蓋が更に少し開いて、楽器本体のスライド制御部が鍵盤蓋内のスライダ部の下部に当接する状態を示した要部の拡大断面図である。
【図７】図６に示された鍵盤楽器の鍵盤蓋が更に少し開いて、楽器本体のスライド制御部がスライダ部を少し押し上げて、譜面受けが少し開く方向に回転した状態を示した要部の拡大断面図である。
【図８】図７に示された鍵盤楽器の鍵盤蓋が完全に開き、楽器本体のスライド制御部がスライダ部を最上部に押し上げて、譜面受けが完全に開いた状態を示した要部の拡大断面図である。
【図９】図８に示された鍵盤楽器の鍵盤蓋を楽器本体の内側から見て示した要部の拡大図である。
【図１０】この発明を鍵盤楽器に適用した実施形態２において、鍵盤蓋を閉じた状態を示した断面図である。
【図１１】図１０に示された鍵盤楽器において、鍵盤蓋を回転させてほぼ垂直に起立させて開いた状態を示した断面図である。
【図１２】図１１に示された鍵盤楽器において、鍵盤蓋を更に開いて楽器本体の後方に向けて少し傾けて起立させた状態を示した断面図である。
【図１３】図１１に示された鍵盤楽器の鍵盤蓋がほぼ垂直に起立して開いた状態を示した要部の拡大断面図である。
【図１４】図１２に示された鍵盤楽器の鍵盤蓋が楽器本体の後方に向けて少し傾いて起立した状態を示した要部の拡大断面図である。
【図１５】図１４に示された鍵盤楽器の鍵盤蓋を楽器本体の内側から見て示した要部の拡大図である。
【図１６】この発明を鍵盤楽器に適用した実施形態３において、鍵盤蓋がほぼ垂直に起立して開いた状態を示した要部の拡大断面図である。
【図１７】図１６に示された鍵盤楽器の鍵盤蓋が更に開いて楽器本体の後方に向けて少し傾いて起立した状態を示した要部の拡大断面図である。
【発明を実施するための形態】
【００１０】
（実施形態１）
以下、図１〜図９を参照して、この発明を鍵盤楽器に適用した実施形態１について説明する。
この鍵盤楽器は、図１〜図４に示すように、楽器本体１を備えている。この楽器本体１は、脚部を兼ねる一対の側板２と、この一対の側板２間に架け渡された底板である棚板３と、この棚板３の前端部（図１では左端部）に起立して設けられた前板４と、棚板３の後端部（図１では右端部）に起立して設けられた後板５と、この後板５および一対の側板２の各上端部に設けられた上板６とを備えている。
【００１１】
この場合、上板６は、図１〜図４に示すように、その前後方向（図１では左右方向）の長さが一対の側板２の各前後方向の長さのほぼ半分程度の長さに形成されている。また、この上板６の後部（図１では右側部）には、その後側下部に向けて傾斜する傾斜部６ａが形成されており、この上板６の前端部（図１では左端部）には、下側に向けてほぼ垂直に垂れ下がる垂下り部６ｂが設けられている。これにより、この楽器本体１は、上板６の前方に位置する部分が上方に開放されたほぼ箱形状に形成されている。
【００１２】
この楽器本体１の内部には、図１〜図４に示すように、鍵盤部７が設けられている。この鍵盤部７は、白鍵７ａと黒鍵７ｂとを備え、これら白鍵７ａと黒鍵７ｂとが鍵盤シャーシ（図示せず）上に並列に配列された状態で上下方向に回転可能に取り付けられた構成なっている。これにより、鍵盤部７は、鍵盤シャーシが楽器本体１の棚板３上に配置され、白鍵７ａおよび黒鍵７ｂの各後部（図１では右側部）が上板６で覆われた状態で、白鍵７ａおよび黒鍵７ｂが上板６の垂下り部６ｂと前板４との間から上方に露出するように構成されている。
【００１３】
また、この楽器本体１には、図１〜図４に示すように、鍵盤部７を開閉自在に覆う鍵盤蓋８が一対の支持アーム部１０によって開閉可能に取り付けられている。この鍵盤蓋８は、一対の支持アーム部１０によって上下方向に回転することにより、図１に示すように、楽器本体１の上部に配置されて鍵盤部７を覆って閉じ、また図４に示すように、楽器本体１の後方（図４では右側）に少し傾いて起立した状態で、鍵盤部７を露出させて開くように構成されている。
【００１４】
一対の支持アーム部１０は、図１〜図４に示すように、その各一端部が鍵盤蓋８の内面（図１では下面）における両側部にそれぞれ取り付けられ、各他端部が上板６および後板５に亘って設けられたスリット状の挿入孔１１を通して楽器本体１内に挿入し、この挿入した各他端部が一対の側板２の各内面に設けられた各アーム支持軸１２にそれぞれ回転可能に取り付けられた構成になっている。この場合、スリット状の挿入孔１１は、上板６および後板５の各両側部に位置する箇所において、上板６の前後方向の中間部から後板５の上部に亘って連続して形成されている。
【００１５】
これにより、一対の支持アーム部１０は、図１〜図４に示すように、上板６および後板５に亘って設けられたスリット状の挿入孔１１内を移動しながら、一対の側板２に設けられた各アーム支持軸１２を中心に上下方向に回転するように構成されている。この場合、一対の支持アーム部１０は、各アーム支持軸１２を中心に反時計回りに回転すると、図１に示すように、鍵盤蓋８を楽器本体１の上部に配置させて閉じ、また各アーム支持軸１２を中心に時計回りに回転すると、図４に示すように、鍵盤蓋８を楽器本体１の後方（図４では右側）に少し傾けて起立させた状態で開くように構成されている。
【００１６】
ところで、この鍵盤楽器は、譜面台装置を備えている。この譜面台装置は、図４および図８に示すように、鍵盤蓋８に譜面１３を立て掛けるための譜面受け１４が回転可能に取り付けられた構成になっている。譜面受け１４は、図８に示すように、その前後方向（図８では左右方向）における中間部が窪み、その両側が上方に向けて傾斜する板状に形成されている。この譜面受け１４の後端部（図８では右端部）には、軸取付孔１５が鍵盤部７の鍵配列方向に沿って設けられており、この軸取付孔１５内には回転軸１６が挿入されている。
【００１７】
この回転軸１６は、図８および図９に示すように、鍵盤蓋８の内面（図８では左側面）に設けられた軸受け部１７（図９参照）に上下方向に回転可能に取り付けられている。これにより、譜面受け１４は、鍵盤蓋８の軸受け部１７に回転可能に取り付けられた回転軸１６を中心に、譜面受け１４の自重によって鍵盤蓋８の内面から離れる方向に向けて回転して開くように構成されている。
【００１８】
また、この譜面受け１４は、図５〜図８に示すように、連動機構２０によって鍵盤蓋８の開閉動作に連動して回転するように構成されている。この連動機構２０は、鍵盤蓋８が回転して起立した状態に開く際に、譜面受け１４を回転させて譜面１３が載せられる状態に開き、且つ鍵盤蓋８が起立して開いた状態から閉じる方向に向けて回転する際に、譜面受け１４を閉じる方向に回転させるように構成されている。
【００１９】
すなわち、この連動機構２０は、図５〜図８に示すように、鍵盤蓋８にスライド可能に設けられて鍵盤蓋８がほぼ垂直に起立する際に自重でスライドするスライダ部２１と、楽器本体１に設けられて鍵盤蓋８の開閉動作に応じてスライダ部２１のスライド動作を制御するスライド制御部２２と、スライダ部２１のスライド動作に応じて譜面受け１４を連動させて回転させる連結部材２３とを備えている。
【００２０】
スライダ部２１は、図５〜図９に示すように、鍵盤蓋８の前後方向（図５では上下方向）に沿って細長い板状に形成されている。このスライダ部２１の後部（図５では下部）には、錘部２１ａが設けられており、この錘部２１ａの後端部（図５では下部）には、スライダ部２１のスライド方向と直交する方向において、上部（図５では右端部）から前側下部（図５では左側上部）に向けて傾斜する傾斜部２１ｂが設けられている。これにより、スライダ部２１は、鍵盤蓋８の後部（図５では下部）内に設けられた収納部２４内にスライド可能に配置された構成になっている。
【００２１】
この収納部２４は、スライダ部２１と同様、鍵盤蓋８の前後方向（図５では上下方向）に沿って細長く形成された空洞部である。この収納部２４の前部（図５では上部）には、図５〜図９に示すように、開口部２４ａが鍵盤蓋８の内面側（図５では左面側）に開放されて設けられている。また、この収納部２４の後部（図５では下部）には、切欠き部２４ｂが鍵盤蓋８の内面側（図５では左面側）から鍵盤蓋８の後端部（図５では下端部）の中間に亘って開放された状態で設けられている。
【００２２】
さらに、この収納部２４内における後部（図５では下部）には、図５〜図８に示すように、スライダ部２１が収納部２４内から脱落するのを防ぐためのストッパ部２４ｃが、スライダ部２１の厚みの半分程度の高さで設けられている。これにより、スライダ部２１は、図３〜図８に示すように、鍵盤蓋８がほぼ垂直に起立した際に、収納部２４内をスライドしながら降下して、その下端部である後端部がストッパ部２４ｃに当接して停止し、この状態でスライダ部２１の後端部の傾斜部２１ｂが切欠き部２４ｂから外部に露出するように構成されている。
【００２３】
スライド制御部２２は、図５〜図８に示すように、楽器本体１の後板５にその後方（図５では右側）に向けて突出して設けられた突起部である。このスライド制御部２２の後端部（図５では右端部）には、その後側下部に向けて傾斜する傾斜部２２ａが、スライダ部２１の傾斜部２１ｂと同じ傾斜角度で設けられている。このスライド制御部２２は、図３および図５に示すように、鍵盤蓋８がほぼ垂直に起立した際に、鍵盤蓋８の収納部２４における切欠き部２４ｂの下部に位置して、降下したスライダ部２１の傾斜部２１ｂに対面するように構成されている。
【００２４】
また、このスライド制御部２２は、図６に示すように、鍵盤蓋８がほぼ垂直に起立した状態から少し開く方向に向けて回転する際に、鍵盤蓋８が徐々に下がりながら回転し、この鍵盤蓋８の回転移動に伴ってスライド制御部２２の傾斜部２２ａが切欠き部２４ｂ内に相対的に挿入し、この挿入したスライド制御部２２の傾斜部２２ａがスライダ部２１の傾斜部２１ｂに接近もしくは当接するように構成されている。
【００２５】
さらに、このスライド制御部２２は、図７に示すように、鍵盤蓋８がほぼ垂直に起立した状態から更に開く方向に回転する際に、鍵盤蓋８が徐々に下がりながら回転し、この鍵盤蓋８の回転移動に伴ってスライド制御部２２の傾斜部２２ａが収納部２４内に相対的に挿入し、この挿入したスライド制御部２２の傾斜部２２ａがスライダ部２１の傾斜部２１ｂに当接し、この状態で鍵盤蓋８が徐々に下がりながら回転する鍵盤蓋８の回転移動に伴って、スライド制御部２２の傾斜部２２ａが相対的にスライダ部２１を徐々に押し上げるように構成されている。
【００２６】
また、このスライド制御部２２は、図５〜図８に示すように、鍵盤蓋８が楽器本体１の後方（図８では右側）に向けて少し傾いて起立して開いた状態から閉じる方向に向けて回転する際に、その鍵盤蓋８の回転移動に伴ってスライド制御部２２の傾斜部２２ｂが、スライダ部２１の傾斜部２１ｂから徐々に離れる方向に向けて相対的に移動して、スライダ部２１をその自重で降下させるように構成されている。
【００２７】
これにより、スライド制御部２２は、図３〜図８に示すように、鍵盤蓋８がほぼ垂直に起立した状態から更に開く方向（時計回り方向）に向けて回転する際に、その鍵盤蓋８の回転移動に伴ってスライダ部２１を押し上げ、また鍵盤蓋８が楽器本体１の後方に向けて少し傾いた状態で起立して開いた状態から閉じる方向（反時計回り方向に）に向けて回転する際に、その鍵盤蓋８の回転移動に伴ってスライダ部２１から徐々に離れてスライダ部２１をその自重で降下させるように制御する構成になっている。
【００２８】
一方、連結部材２３は、図５〜図８に示すように、ワイヤや紐などの連結線材であり、その一端部２３ａがスライダ部２１の前端部（図５では上端部）に取り付けられ、他端部２３ｂが収納部２４の開口部２４ａを通して譜面受け１４の回転中心から偏心した位置、つまり譜面受け１４に設けられた連結突起部２５に取り付けられた構成になっている。
【００２９】
この場合、連結突起部２５は、図８に示すように、譜面受け１４が鍵盤蓋８から離れて開いた状態において、譜面受け１４の後端部（図８では右端部）に起立した状態で設けられ、この起立した先端部（図８では上端部）に連結部材２３の他端部２３ｂが取り付けられている。また、この連結突起部２５は、図５に示すように、連結部材２３がスライダ部２１によって引っ張られ、譜面受け１４が鍵盤蓋８に向けて接近して閉じた際に、先端部（図５では右端部）が鍵盤蓋８の開口部２４ａを通して収納部２４内に挿入するように構成されている。
【００３０】
次に、このような鍵盤楽器の作用について説明する。
まず、鍵盤蓋８が楽器本体１上に配置されて閉じている状態から鍵盤蓋８を開く場合について説明する。この場合、鍵盤蓋８が楽器本体１上に配置されて閉じている状態では、図１に示すように、連動機構２０のスライダ部２１の傾斜部２１ｂが鍵盤蓋８の収納部２４のストッパ部２４ｃに当接している。このため、連結部材２３がスライダ部２１によって引っ張られ、譜面受け１４を鍵盤蓋８の内面に接近させて閉じた状態になっている。これにより、譜面受け１４が楽器本体１の上面や鍵盤部７の白鍵７ａおよび黒鍵７ｂに接触することがない。
【００３１】
この状態で、鍵盤蓋８の前端部（図１では左端部）を持ち上げると、図２に示すように、鍵盤蓋８が一対の支持アーム部１０と共に各アーム支持軸１２を中心に上方に向けて時計回りに回転する。このときにも、連動機構２０のスライダ部２１の傾斜部２１ｂが鍵盤蓋８の収納部２４のストッパ部２４ｃに当接している。このため、連結部材２３がスライダ部２１によって引っ張られ、これにより譜面受け１４が鍵盤蓋８の内面に接近して閉じた状態を維持する。
【００３２】
この後、鍵盤蓋８が更に一対の支持アーム部１０と共に各アーム支持軸１２を中心に時計回りに回転すると、図３および図５に示すように、鍵盤蓋８がほぼ垂直に起立した状態に開く。このときにも、連動機構２０のスライダ部２１の傾斜部２１ｂが鍵盤蓋８の収納部２４のストッパ部２４ｃに当接している。このため、連結部材２３がスライダ部２１によって引っ張られ、これにより譜面受け１４が鍵盤蓋８の内面に接近して閉じた状態を維持している。
【００３３】
また、このときには、鍵盤蓋８がほぼ垂直に起立するため、図３および図５に示すように、鍵盤蓋８の収納部２４のストッパ部２４ｃに当接したスライダ部２２の傾斜部２１ｂが、鍵盤蓋８の切欠き部２４ｂの下部に位置して露出している。これにより、露出したスライダ部２１の傾斜部２１ｂが、鍵盤蓋８の回転移動に伴って連動機構２０のスライド制御部２２の傾斜部２２ａに接近して対面する。
【００３４】
この後、図５に示すように、鍵盤蓋８がほぼ垂直に起立した状態から少し開く方向に向けて回転すると、図６に示すように、鍵盤蓋８が一対の支持アーム部１０の各アーム支持軸１２を中心に回転しながら徐々に下がり、この鍵盤蓋８の徐々に下がる回転移動に伴ってスライド制御部２２の傾斜部２２ａが切欠き部２４ｂ内に相対的に挿入し、この挿入したスライド制御部２２の傾斜部２２ａがスライダ部２１の傾斜部２１ｂに更に接近して当接する。
【００３５】
この状態で、鍵盤蓋８が更に開く方向に向けて回転すると、図７に示すように、鍵盤蓋８が更に回転しながら下がるので、この鍵盤蓋８の回転移動に伴ってスライド制御部２２の傾斜部２２ａが収納部２４内に相対的に挿入しながら、スライダ部２１を鍵盤蓋８に対して相対的に徐々に押し上げる。すなわち、スライド制御部２２は、常に所定位置に位置しているが、鍵盤蓋８が回転しながら徐々に下がることにより、スライダ部２１がスライド制御部２２の傾斜部２２ａによって押し上げられることになる。
【００３６】
このように、鍵盤蓋８が時計回りに回転して、スライダ部２１がスライド制御部２２によって押し上げられる際には、図７に示すように、連結部材２３による譜面受け１４の引っ張りが緩んで解除される。すると、譜面受け１４が、その自重によって回転軸１６を中心に回転し、図４および図８に示すように、スライダ部２１の上昇に応じて鍵盤蓋８の内面から徐々に離れて開く。
【００３７】
これにより、図４および図８に示すように、鍵盤蓋８が楽器本体１の後方に向けて傾いて起立した状態で開き、楽器本体１内の鍵盤部７の白鍵７ａおよび黒鍵７ｂが上板６の垂下り部６ｂと前板４との間から上方に露出するので、演奏が可能な状態になる。このときには、譜面受け１４が鍵盤蓋８の内面から離れて開いているので、この譜面受け１４上に譜面１３を立て掛け、この譜面１３を見ながら演奏することができる。
【００３８】
次に、鍵盤蓋８が起立して開いた状態から閉じる場合について説明する。このときには、図４および図８に示すように、鍵盤蓋８が楽器本体１の後方に向けて少し傾いて起立した状態で開き、連動機構２０のスライダ部２１がスライド制御部２２によって押し上げられ、譜面受け１４が開いている。
【００３９】
この状態で、鍵盤蓋８を閉じる方向に回転させると、図７に示すように、一対の支持アーム部１０の各アーム支持軸１２を中心に反時計回りに回転することにより、鍵盤蓋８が上方に少しずつ移動しながら回転し、この鍵盤蓋８の回転移動に伴ってスライド制御部２２が鍵盤蓋８に対して相対的に徐々に下がりながら鍵盤蓋８から離れる方向に向けて徐々に移動するので、スライダ部２１もその自重で徐々に下がる。
【００４０】
すると、連結部材２３がスライダ部２１の降下に伴って引っ張られ、譜面受け１４を鍵盤蓋８の内面に接近させる方向に向けて回転させる。そして、鍵盤蓋８が更に閉じる方向に回転すると、図６に示すように、鍵盤蓋８が上方に少しずつ移動しながら回転し、この鍵盤蓋８の回転移動に伴ってスライド制御部２２が鍵盤蓋８の収納部２４内から相対的に離脱する。すると、スライダ部２４が更に降下してスライダ部２１の傾斜部２１ｂが収納部２４のストッパ部２４ｃに当接する。
【００４１】
これにより、連結部材２３がスライダ部２１によって更に引っ張られ、譜面受け１４を鍵盤蓋８の内面に接近させて閉じる。この後、鍵盤蓋８が更に閉じる方向に回転すると、図３および図５に示すように、鍵盤蓋８が楽器本体１の後板５から徐々に離れるので、連動機構２０のスライド制御部２２が鍵盤蓋８から相対的に離れて、鍵盤蓋８がほぼ垂直に起立する。
【００４２】
そして、鍵盤蓋８が更に閉じる方向に回転する際には、図２に示すように、スライダ部２１が収納部２４のストッパ部２４ｃに当接して位置規制され、譜面受け１４が連結部材２３によって鍵盤蓋８の内面に接近して閉じた状態で、鍵盤蓋８が支持アーム部１０と共にアーム支持軸１２を中心に反時計回りに回転し、図１に示すように、鍵盤蓋８が楽器本体１の上部に配置されて鍵盤部７を覆って閉じる。
【００４３】
このときには、図１および図２に示すように、譜面受け１４が連結部材２３によって鍵盤蓋８の内面に接近して閉じているので、鍵盤蓋８を閉じる際、および鍵盤蓋８を閉じた際に、譜面受け１４が楽器本体１の上板６の上面に接触したり、鍵盤部７の白鍵７ａおよび黒鍵７ｂに接触したりすることがなく、楽器本体１の上板６の上面や鍵盤部７の白鍵７ａおよび黒鍵７ｂを傷つけることがない。
【００４４】
このように、この鍵盤楽器の譜面台装置によれば、鍵盤部７を備えた楽器本体１に鍵盤部７を開閉可能に覆う鍵盤蓋８が回転可能に取り付けられ、この鍵盤蓋８に譜面１３を載せて立て掛けるための譜面受け１４が回転可能に取り付けられた譜面台装置において、鍵盤蓋８が起立して開いた状態から閉じる方向に向けて回転する際に、譜面受け１４が鍵盤蓋８に接近して閉じる方向に向けて譜面受け１４を回転させる連動機構２０を備えているので、譜面受け１４の閉じ忘れを確実に防ぐことができる。
【００４５】
すなわち、この譜面台装置では、鍵盤蓋８を起立させて開いた状態から閉じる方向に向けて回転させる際に、連動機構２０によって譜面受け１４を自動的に閉じる方向に回転させることができる。このため、譜面受け１４の閉じ忘れを確実に防ぐことができ、これにより楽器本体１の上面や楽器本体１内の鍵盤部７の白鍵７ａおよび黒鍵７ｂを傷つけることがなく、良好に鍵盤蓋８を閉じることができる。
【００４６】
この場合、連動機構２０は、鍵盤蓋８にスライド可能に設けられて鍵盤蓋８がほぼ垂直に起立する際に自重でスライドするスライダ部２１と、楽器本体１に設けられて鍵盤蓋８が起立して開いた状態から閉じる方向に向けて回転する際にスライダ部２１に対する係止を解除してスライダ部２１を自重でスライドさせるスライド制御部２２と、スライダ部２１のスライド動作に応じて譜面受け１４を連動させて回転させる連結部材２３とを備えていることにより、鍵盤蓋８の閉動作に応じて譜面受け１４を確実に且つ良好に連動させて閉じることができる。
【００４７】
すなわち、この連動機構２０は、鍵盤蓋８が楽器本体１の後方に少し傾いて起立した状態からほぼ垂直に起立する際に、スライド制御部２２がスライダ部２１から徐々に離れることにより、スライダ部２１を自重でスライドさせることができ、このスライダ部２１のスライド動作に応じて連結部材２３が譜面受け１４を鍵盤蓋８に接近させる方向に回転させて閉じることができる。このため、鍵盤蓋８の閉動作に応じて譜面受け１４を確実に且つ良好に連動させて閉じることができる。
【００４８】
また、この連動機構２０は、鍵盤蓋８が回転して起立した状態に開く際に、譜面受け１４を鍵盤蓋８から離れる方向に回転させて譜面１３が載せられる状態に開く構成であることにより、鍵盤蓋８を回転させて起立した状態に開く際に、連動機構２０によって譜面受け１４を自動的に回転させて譜面１３が載せられる状態に開くことができる。このため、この連動機構２０では、鍵盤蓋８の開閉動作に応じて譜面受け１４を自動的に連動させて開閉させることができる。
【００４９】
この場合、連動機構部２０のスライド制御部２２は、鍵盤蓋８がほぼ垂直に起立した状態から更に閉じる方向に向けて回転する際に、スライダ部２１を押し上げる構成であることにより、譜面受け１４を自動的に回転させて鍵盤蓋８から離れる方向に向けて開くことができる。
【００５０】
すなわち、このスライド制御部２２は、鍵盤蓋８がほぼ垂直に起立した状態のときに、スライド制御部２２の傾斜部２２ａがスライダ部２１の傾斜部２１ｂに接近して当接し、この状態から更に鍵盤蓋８を開く方向に回転させると、この鍵盤蓋８の回転動作に伴うスライド制御部２２の相対的な移動によって、スライダ部２１を確実に且つ良好に押し上げることができ、これにより譜面受け１４を自動的に回転させて開くことができる。
【００５１】
さらに、この連動機構部２０の連結部材２３は、その一端部２３ａがスライダ部２１に取り付けられ、他端部２３ｂが譜面受け１４の回転中心から偏心した位置、つまり譜面受け１４の連結突起部２５に取り付けられたワイヤや紐などの結線材であることにより、スライダ部２１と譜面受け１４とを簡単に且つ容易に連結することができると共に、スライダ部２１が自重でスライドした際に、そのスライダ部２１のスライド動作に応じて連結部材２３が確実に引っ張られるので、この連結部材２３によって譜面受け１４を確実に回転させて鍵盤蓋８に接近させて閉じることができる。
【００５２】
また、この連結部材２３は、鍵盤蓋８がほぼ垂直に起立して開いた状態から更に開く方向に向けて回転する際に、スライド制御部２２によってスライダ部２１が押し上げられると、このスライダ部２１による連結部材２３の引っ張りが緩んで解除されるので、譜面受け１４をその自重で回転させることができ、これにより譜面受け１４を自動的に鍵盤蓋８から離れる方向に回転させて開くことができる。
【００５３】
なお、上述した実施形態１では、連結部材２３として、ワイヤや紐などの連結線材を用いた場合について述べたが、これに限らず、例えば棒状の連結線材を用いても良い。この場合には、連結線材の一端部をスライダ部２１に回転可能に取り付け、他端部を譜面受け１４の回転中心から偏心した位置、つまり譜面受け１４の連結突起部２５に回転可能に取り付けることにより、リンク機構の構造にすれば良い。このように構成しても、実施形態１と同様の作用効果がある。
【００５４】
（実施形態２）
次に、図１０〜図１５を参照して、この発明を鍵盤楽器に適用した実施形態２について説明する。なお、図１〜図９に示された実施形態１と同一部分には同一符号を付して説明する。
この鍵盤楽器は、図１０〜図１２に示すように、譜面台装置における連動機構３０の連結部材３１が実施形態１と異なる構成であり、これ以外は実施形態１とほぼ同じ構成になっている。
【００５５】
すなわち、この連動機構３０は、実施形態１と同様、鍵盤蓋８が回転して起立した状態に開く際に、譜面受け１４を回転させて譜面１３が載せられる状態に開き、且つ鍵盤蓋８が起立して開いた状態から閉じる方向に向けて回転する際に、譜面受け１４を閉じる方向に回転させるように構成されている。
【００５６】
この場合、連動機構３０は、図１３〜図１５に示すように、鍵盤蓋８にスライド可能に設けられて鍵盤蓋８がほぼ垂直に起立する際に自重でスライドするスライダ部２１と、楽器本体１に設けられて鍵盤蓋８の開閉動作に応じてスライダ部２１のスライド動作を制御するスライド制御部２２と、スライダ部２１のスライド動作に応じて譜面受け１４を連動させて回転させる連結部材３１とを備えている。
【００５７】
スライダ部２１は、実施形態１と同様、鍵盤蓋８の後部内に設けられた収納部２４内にスライド可能に配置された構成になっている。この収納部２４も、実施形態１と同様、鍵盤蓋の前後方向（図１３では上下方向）に沿って細長く形成された空洞部である。この収納部２４の前部（図１３では上部）には、開口部２４ａが設けられている。また、収納部２４の後部（図１３では下部）には、切欠き部２４ｂが設けられている。さらに、この収納部２４内における後部（図１３では下部）には、ストッパ部２４ｃが設けられている。
【００５８】
スライド制御部２２も、実施形態１と同様、楽器本体１の後板５にその後方（図１３では右側）に向けて突出して設けられた突起部である。このスライド制御部２２の後端部（図１３では下端部）には、その後側下部に向けて傾斜する傾斜部２２ａが、スライダ部２１の傾斜部２１ｂと同じ傾斜角度で設けられている。このスライド制御部２２は、図１３に示すように、鍵盤蓋８がほぼ垂直に起立した際に、鍵盤蓋８の収納部２４における切欠き部２４ｂの下部に挿入して、降下したスライダ部２１の傾斜部２１ｂに対面するように構成されている。
【００５９】
また、このスライド制御部２２は、実施形態１と同様、鍵盤蓋８がほぼ垂直に起立した状態から更に開く方向に回転して楽器本体１の後方に向けて傾いた状態に起立する際に、スライド制御部２２の傾斜部２２ａが鍵盤蓋８の回転移動に伴って収納部２４内に向けて相対的に挿入し、この挿入したスライド制御部２２の傾斜部２２ａがスライダ部２１の傾斜部２１ｂに接近もしくは接触するように構成されている。
【００６０】
さらに、このスライド制御部２２は、実施形態１と同様、鍵盤蓋８がほぼ垂直に起立した状態から更に開く方向に回転する際に、鍵盤蓋８が徐々に下がりながら回転し、この鍵盤蓋８の回転移動に伴ってスライド制御部２２の傾斜部２２ａが収納部２４内に相対的に挿入し、この挿入したスライド制御部２２の傾斜部２２ａがスライダ部２１の傾斜部２１ｂに当接し、この状態で鍵盤蓋８が徐々に下がりながら回転する鍵盤蓋８の回転移動に伴って、スライド制御部２２の傾斜部２２ａが相対的にスライダ部２１を徐々に押し上げるように構成されている。
【００６１】
また、このスライド制御部２２は、図１３および図１４に示すように、鍵盤蓋８が楽器本体１の後方に向けて少し傾いた状態で起立して開いた状態から閉じる方向に向けて回転する際に、その鍵盤蓋８の回転移動に伴ってスライド制御部２２の傾斜部２２ｂが、スライダ部２１の傾斜部２１ｂから徐々に離れる方向に向けて相対的に移動して、スライダ部２１をその自重で降下させるように構成されている。
【００６２】
これにより、スライド制御部２２は、図１１〜図１４に示すように、鍵盤蓋８がほぼ垂直に起立した状態から更に開く方向（時計回り方向）に向けて回転する際に、その鍵盤蓋８の回転移動に伴ってスライダ部２１を押し上げ、また鍵盤蓋８が楽器本体１の後方に向けて少し傾いた状態で起立して開いた状態から閉じる方向（反時計回り方向）に向けて回転する際に、その鍵盤蓋８の回転移動に伴ってスライダ部２１から徐々に離れてスライダ部２１を自重で降下させるように制御する構成になっている。
【００６３】
一方、連結部材３１は、図１３〜図１５に示すように、スライダ部２１に設けられたラックギア３２と、譜面受け１４に設けられてラックギア３２に噛み合って回転するピニオンギア３３とを備えている。すなわち、ラックギア３２は、スライダ部２１の前部下面（図１３では上部の左側面）にスライダ部２１のスライド方向に沿って設けられている。この場合、ラックギア３２は、その長さがスライダ部２１のスライド長さと同じか、それよりも長く形成されている。
【００６４】
また、ピニオンギア３３は、図１３および図１４に示すように、譜面受け１４の回転軸１６を中心に回転するほぼ半円形の扇状に形成され、その外周部に歯部３３ａが形成された構成になっている。このピニオンギア３３は、図１３および図１４に示すように、譜面受け１４に一体的に設けられていると共に、鍵盤蓋８の開口部２４ａ内に回転可能な状態で配置されて、外周部の歯部３３ａがスライダ部２１のラックギア３２に噛み合って譜面受け１４と共に回転するように構成されている。
【００６５】
これにより、連結部材３１は、図１３に示すように、鍵盤蓋８がほぼ垂直に起立してスライダ部２１が降下する際に、ピニオンギア３３がラックギア３２に噛み合って時計回りに回転して、ピニオンギア３３の一端部側（図１３では上部側）に位置する歯部３３ａがラックギア３２の前端部３２ａ側（図１３では上部側）に位置することにより、譜面受け１４を鍵盤蓋８の内面（図８では左側面）に接近する方向に回転させて閉じるように構成されている。
【００６６】
また、この連結部材３１は、図１３および図１４に示すように、鍵盤蓋８がほぼ垂直に起立した状態で更に開く方向に回転してスライダ部２１がスライド制御部２２によって押し上げられる際に、ピニオンギア３３がラックギア３２に噛み合って反時計回りに回転して、ピニオンギア３３の他端部（図１４では下部側）に位置する歯部３３ａがラックギア３２の後端部３２ｂ側（図１４では下部側）に位置することにより、譜面受け１４を鍵盤蓋８の内面（図１４では左側面）から離れる方向に回転させて開くように構成されている。
【００６７】
次に、このような鍵盤楽器の作用について説明する。
まず、鍵盤蓋８が楽器本体１上に配置されて閉じている状態から鍵盤蓋８を開く場合について説明する。この場合には、実施形態１と同様、鍵盤蓋８が楽器本体１上に配置されて閉じている。このときには、図１０に示すように、連動機構３０のスライダ部２１の傾斜部２１ｂが鍵盤蓋８の収納部２４のストッパ部２４ｃに当接している。
【００６８】
このため、スライダ部２１が鍵盤蓋８の収納部２４内における後部側（図１０では右側）に位置し、これに伴ってスライダ部２１のラックギア３２も後部側に移動している。これにより、連結部材３１のピニオンギア３３は、その歯部３３ａがスライダ部２１のラックギア３２の後端部３２ｂ側（図１０では右端部側）に位置で噛み合っている。このため、譜面受け１４は鍵盤蓋８の内面（図１０では左側面）に接近する方向に回転して閉じている。これにより、譜面受け１４が楽器本体１の上面や鍵盤部７の白鍵７ａおよび黒鍵７ｂに接触することがない。
【００６９】
この状態で、鍵盤蓋８の前端部（図１０では左端部）を押し上げると、実施形態１と同様、鍵盤蓋８が一対の支持アーム部１０と共に各アーム支持軸１２を中心に上方に向けて時計回りに回転する。このときには、連動機構３０のスライダ部２１の傾斜部２１ｂが鍵盤蓋８の収納部２４のストッパ部２４ｃに当接している。このため、連結部材３１のピニオンギア３３は、その歯部３３ａがスライダ部２１のラックギア３２の後端部３２ｂ側（図８では右端部側）に位置で噛み合っており、これにより譜面受け１４が鍵盤蓋８の内面に接近して閉じた状態を維持する。
【００７０】
この後、鍵盤蓋８が更に一対の支持アーム部１０と共に各アーム支持軸１２を中心に上方に向けて時計回りに回転すると、図１１に示すように、鍵盤蓋８がほぼ垂直に起立した状態に開く。このときにも、連動機構３０のスライダ部２１の傾斜部２１ｂが鍵盤蓋８の収納部２４のストッパ部２４ｃに当接している。このため、連結部材２３のピニオンギア３３は、その歯部３３ａがスライダ部２１のラックギア３２の後端部３２ｂ側（図８では右端部側）に位置で噛み合っており、これにより譜面受け１４が鍵盤蓋８の内面に接近して閉じた状態を維持している。
【００７１】
また、このときには、鍵盤蓋８がほぼ垂直に起立するため、図１１および図１３に示すように、鍵盤蓋８の収納部２４のストッパ部２４ｃに当接したスライダ部２２の傾斜部２１ｂが、鍵盤蓋８の切欠き部２４ｂの下部に位置して露出している。これにより、露出したスライダ部２１の傾斜部２１ｂが、鍵盤蓋８の回転に伴って連動機構２０のスライド制御部２２の傾斜部２２ａに接近して対面する。
【００７２】
この後、鍵盤蓋８がほぼ垂直に起立した状態から少し開く方向に向けて回転すると、実施形態１と同様、鍵盤蓋８が一対の支持アーム部１０の各アーム支持軸１２を中心に回転しながら徐々に下がり、この鍵盤蓋８の徐々に下がる回転移動に伴ってスライド制御部２２の傾斜部２２ａが切欠き部２４ｂ内に相対的に挿入し、この挿入したスライド制御部２２の傾斜部２２ａがスライダ部２１の傾斜部２１ｂに更に接近して当接する。
【００７３】
この状態で、鍵盤蓋８が更に開く方向に向けて回転すると、鍵盤蓋８が更に回転しながら下がるので、この鍵盤蓋８の回転移動に伴ってスライド制御部２２の傾斜部２２ａが収納部２４内に相対的に挿入しながら、スライダ部２１を鍵盤蓋８に対して相対的に徐々に押し上げる。すなわち、スライド制御部２２は、常に所定位置に位置しているが、鍵盤蓋８が回転しながら徐々に下がることにより、スライダ部２１がスライド制御部２２の傾斜部２２ａによって押し上げられることになる。
【００７４】
このように、鍵盤蓋８が時計回りに回転して、スライダ部２１がスライド制御部２２によって押し上げられる際には、連結部材３１のラックギア３２が上昇するので、このラックギア３２に噛み合っているピニオンギア３３が譜面受け１４と共に反時計回りに回転しながらラックギア３２の後端部３２ｂ側に回転移動し、図１４に示すように、ピニオンギア３３の歯部３３ａがラックギア３２の後端部３２ｂ側に位置して噛み合う。これにより、譜面受け１４は鍵盤蓋８の内面から離れる方向に向けて回転して開く。
【００７５】
この状態では、図１２に示すように、鍵盤蓋８が楽器本体１の後方に向けて傾いて起立した状態で開き、楽器本体１内の鍵盤部７の白鍵７ａおよび黒鍵７ｂが上板６の垂下り部６ｂと前板４との間から上方に露出するので、演奏が可能な状態になる。また、このときには、譜面受け１４が鍵盤蓋８の内面から離れて開いているので、この譜面受け１４上に譜面１３を立て掛け、この譜面１３を見ながら演奏することができる。
【００７６】
次に、鍵盤蓋８が起立して開いた状態から閉じる場合について説明する。このときには、図１２および図１４に示すように、鍵盤蓋８が楽器本体１の後方に向けて少し傾いて起立した状態で開き、連動機構３０のスライダ部２１がスライド制御部２２によって押し上げられ、譜面受け１４が開いている。
【００７７】
この状態で、鍵盤蓋８を閉じる方向に回転させると、図１１および図１３に示すように、鍵盤蓋８が一対の支持アーム部１０と共に各アーム支持軸１２を中心に反時計回りに回転することにより、鍵盤蓋８が上方に少しずつ移動しながら回転し、この鍵盤蓋８の回転移動に伴ってスライド制御部２２が鍵盤蓋８に対して相対的に徐々に下がりながら鍵盤蓋８から離れる方向に向けて徐々に移動するので、スライダ部２１もその自重で徐々に下がる。
【００７８】
すると、鍵盤蓋８の後部（図１３では下部）が楽器本体１の後板５から徐々に離れて、図１３に示すように、鍵盤蓋８がほぼ垂直に起立する。このときには、連動機構３０のスライド制御部２２が鍵盤蓋８から相対的に離れる方向に移動するので、鍵盤蓋８の収納部２４内に配置されたスライダ部２１がその自重によってスライド制御部２２の傾斜部２２ａと共に徐々に降下する。これに伴って連結部材３１のラックギア３２も徐々に下側に移動し、ピニオンギア３３が徐々に反時計回りに回転する。
【００７９】
この状態で、鍵盤蓋８が更に閉じる方向に回転すると、連動機構３０のスライド制御部２２が相対的にスライダ部２１から離れるので、スライダ部２１がその自重で降下して、スライダ部２１の傾斜部２１ｂが収納部２４の後端部（図１３では下端部）に設けられたストッパ部２４ｃに当接する。
【００８０】
このときには、連結部材３１のラックギア３２がスライダ部２１と共に降下するので、このラックギア３２に噛み合っているピニオンギア３３が譜面受け１４と共に時計回りに回転しながら、ラックギア３２の前端部３２ａ側に回転移動し、ピニオンギア３３の歯部３３ａがラックギア３２の前端部３２ａ側に位置する。これにより、譜面受け１４は鍵盤蓋８の内面に接近する方向に向けて回転して閉じる。
【００８１】
そして、鍵盤蓋８が更に閉じる方向に回転する際には、実施形態１と同様、スライダ部２１が収納部２４のストッパ部２４ｃに当接して位置規制され、譜面受け１４が連結部材３１によって鍵盤蓋８の内面に接近して閉じた状態で、鍵盤蓋８が支持アーム部１０と共にアーム支持軸１２を中心に反時計回りに回転し、図１０に示すように、鍵盤蓋８が楽器本体１の上部に配置されて鍵盤部７を覆って閉じる。
【００８２】
このときには、図１０に示すように、譜面受け１４が連結部材３１によって鍵盤蓋８の内面に接近して閉じているので、鍵盤蓋８を閉じる際、および鍵盤蓋８を閉じた際に、譜面受け１４が楽器本体１の上板６の上面に接触したり、鍵盤部７の白鍵７ａおよび黒鍵７ｂに接触したりすることがなく、楽器本体１の上板６の上面や鍵盤部７の白鍵７ａおよび黒鍵７ｂを傷つけることがない。
【００８３】
このように、この鍵盤楽器の譜面台装置においても、実施形態１と同様、鍵盤蓋８を起立して開いた状態から閉じる方向に向けて回転させる際に、連動機構３０によって譜面受け１４を自動的に閉じる方向に回転させることができる。このため、譜面受け１４の閉じ忘れを確実に防ぐことができ、これにより楽器本体１の上面や楽器本体１内に設けられた鍵盤部７を傷つけることがなく、良好に鍵盤蓋８を閉じることができる。
【００８４】
この場合、連動機構３０は、鍵盤蓋８にスライド可能に設けられて鍵盤蓋８がほぼ垂直に起立する際に自重でスライドするスライダ部２１と、楽器本体１に設けられて鍵盤蓋８が起立して開いた状態から閉じる方向に向けて回転する際にスライダ部２１に対する係止を解除してスライダ部２１を自重でスライドさせるスライド制御部２２と、スライダ部２１のスライド動作に応じて譜面受け１４を連動させて回転させる連結部材３１とを備えていることにより、実施形態１と同様、鍵盤蓋８の閉動作に応じて譜面受け１４を確実に且つ良好に連動させて閉じることができる。
【００８５】
すなわち、この連動機構３０は、鍵盤蓋８が楽器本体１の後方に少し傾いて起立した状態からほぼ垂直に起立する際に、実施形態１と同様、スライド制御部２２がスライダ部２１から徐々に離れるので、スライダ部２１を自重でスライドさせることができ、このスライダ部２１のスライド動作に応じて連結部材３０が譜面受け１４を回転させて鍵盤蓋８に接近させて閉じることができる。これにより、鍵盤蓋８の閉動作に応じて譜面受け１４を確実に且つ良好に連動させて閉じることができる。
【００８６】
また、この連動機構３０は、鍵盤蓋８が回転して起立した状態に開く際に、譜面受け１４を鍵盤蓋８から離れる方向に回転させて譜面１３が載せられる状態に開くように構成されていることにより、実施形態１と同様、鍵盤蓋８を回転させて起立した状態に開く際に、連動機構３０によって譜面受け１４を自動的に回転させて譜面１３が載せられる状態に開くことができる。このため、この連動機構３０においても、実施形態１と同様、鍵盤蓋８の開閉動作に応じて譜面受け１４を自動的に連動させて開閉させることができる。
【００８７】
この場合にも、連動機構部３０のスライド制御部２２は、鍵盤蓋８がほぼ垂直に起立した状態から更に閉じる方向に向けて回転する際に、スライダ部２１を押し上げる構成であることにより、譜面受け１４を自動的に回転させて鍵盤蓋８から離れる方向に向けて開くことができる。
【００８８】
すなわち、このスライド制御部２２も、鍵盤蓋８がほぼ垂直に起立した状態のときに、スライド制御部２２の傾斜部２２ａがスライダ部２１の傾斜部２１ｂに接近して当接し、この状態から更に鍵盤蓋８を開く方向に回転させると、この鍵盤蓋８の回転動作に伴うスライド制御部２２の相対的な移動によって、スライダ部２１を確実に且つ良好に押し上げることができ、これにより譜面受け１４を自動的に回転させて開くことができる。
【００８９】
さらに、この連動機構部３０の連結部材３１は、スライダ部２１に設けられたラックギア３２と、譜面受け１４に設けられてラックギア３２に噛み合って回転するピニオンギア３３とを備えていることにより、スライド部２１のスライド動作に応じて譜面受け１４を確実に且つ良好に開閉させることができる。
【００９０】
すなわち、この連結部材３１では、スライダ部２１が自重で降下する際に、そのスライダ部２１のスライド動作に伴ってラックギア３２が下側にスライドすることにより、このラックギア３２に噛み合っているピニオンギア３３が譜面受け１４と共に回転するので、この連結部材３１によって譜面受け１４を確実に鍵盤蓋８に接近する方向に回転させて閉じることができる。
【００９１】
また、この連結部材３１では、鍵盤蓋８がほぼ垂直に起立した状態から更に閉じる方向に向けて回転して、スライダ部２１がスライド制御部２２によって押し上げられる際に、スライダ部２１のスライド動作に伴ってラックギア３２が上方にスライドすることにより、このラックギア３２に噛み合っているピニオンギア３３が譜面受け１４と共に回転するので、この連結部材３１によって譜面受け１４を確実に鍵盤蓋８から離れる方向に回転させて開くことができる。
【００９２】
（実施形態３）
次に、図１６および図１７を参照して、この発明を鍵盤楽器に適用した実施形態３について説明する。この場合にも、図１〜図９に示された実施形態１と同一部分には同一符号を付して説明する。
この鍵盤楽器は、図１６および図１７に示すように、連動機構４０の連結部材４１が実施形態１と異なる構成であり、これ以外は実施形態１とほぼ同じ構成になっている。
【００９３】
すなわち、この連動機構４０は、実施形態１と同様、鍵盤蓋８が回転して起立した状態に開く際に、譜面受け１４を回転させて譜面１３が載せられる状態に開き、且つ鍵盤蓋８が起立して開いた状態から閉じる方向に向けて回転する際に、譜面受け１４を閉じる方向に回転させるように構成されている。
【００９４】
この場合、連動機構４０は、図１６および図１７に示すように、鍵盤蓋８にスライド可能に設けられて鍵盤蓋８がほぼ垂直に起立する際に自重でスライドするスライダ部２１と、楽器本体１に設けられて鍵盤蓋８の開閉動作に応じてスライダ部２１のスライド動作を制御するスライド制御部２２と、スライダ部２１のスライド動作に応じて譜面受け１４を連動させて回転させる連結部材４１とを備えている。
【００９５】
この連結部材４１は、図１６および図１７に示すように、譜面受け１４に設けられた連動アーム部４２と、スライダ部２１に設けられて連動アーム部４２が挿入する係合孔４３とを備えている。連動アーム部４２は、譜面受け１４の後部に鍵盤蓋８の開口部２４ａに向けて突出して設け、その先端部４２ａが鍵盤蓋８の開口部２４ａを通して収納部２４内に挿入するように構成されている。
【００９６】
また、係合孔４３は、スライダ部２１の前部（図１６では上部）に位置する箇所に、スライダ部２１の厚み方向に貫通して設けられ、その内部に連動アーム部４２の先端部４２ａがスライダ部２１の厚み方向に移動可能に挿入されるように構成されている。これにより、係合孔４３は、鍵盤蓋８の開閉動作に応じてスライダ部２１が収納部２４内をスライドする際に、そのスライダ部２１のスライド動作に伴って移動し、連動アーム部４２の先端部４２ａを移動させて譜面受け１４を回転させるように構成されている。
【００９７】
すなわち、この連結部材４１は、図１６に示すように、鍵盤蓋８がほぼ垂直に起立してスライダ部２１が降下した際に、スライダ部２１と共に係合孔４３が降下して、連動アーム部４２の先端部４２ａを押し下げることにより、連動アーム部４２が譜面受け１４の回転軸１６を中心に時計回りに回転し、譜面受け１４を鍵盤蓋８の内面（図８では左側面）に接近する方向に回転させて閉じるように構成されている。
【００９８】
また、この連結部材４１は、図１７に示すように、鍵盤蓋８がほぼ垂直に起立した状態で更に開く方向に回転してスライダ部２１がスライド制御部２２によって押し上げられる際に、スライダ部２１と共に係合孔４３が上昇して、連動アーム部４２の先端部４２ａを押し上げることにより、連動アーム部４２が譜面受け１４の回転軸１６を中心に反時計回りに回転し、譜面受け１４を鍵盤蓋８の内面（図１７では左側面）から離れる方向に回転させて開くように構成されている。
【００９９】
このような鍵盤楽器の譜面台装置においても、実施形態１と同様、鍵盤蓋８を起立して開いた状態から閉じる方向に向けて回転させる際に、連動機構４０によって譜面受け１４を自動的に閉じる方向に回転させることができる。このため、譜面受け１４の閉じ忘れを確実に防ぐことができ、これにより楽器本体１の上面や楽器本体１内に設けられた鍵盤部７を傷つけることがなく、良好に鍵盤蓋８を開閉させることができる。
【０１００】
この場合、連動機構４０は、鍵盤蓋８にスライド可能に設けられて鍵盤蓋８がほぼ垂直に起立する際に自重でスライドするスライダ部２１と、楽器本体１に設けられて鍵盤蓋８が起立して開いた状態から閉じる方向に向けて回転する際にスライダ部２１に対する係止を解除してスライダ部２１を自重でスライドさせるスライド制御部２２と、スライダ部２１のスライド動作に応じて譜面受け１４を連動させて回転させる連結部材４１とを備えていることにより、実施形態１と同様、鍵盤蓋８の閉動作に応じて譜面受け１４を確実に且つ良好に連動させて閉じることができる。
【０１０１】
すなわち、この連動機構４０は、鍵盤蓋８が楽器本体１の後方に少し傾いて起立した状態からほぼ垂直に起立する際に、実施形態１と同様、スライド制御部２２がスライダ部２１から徐々に離れるので、スライダ部２１を自重でスライドさせることができ、このスライダ部２１のスライド動作に応じて連結部材４０が譜面受け１４を回転させて鍵盤蓋８に接近させて閉じることができる。これにより、鍵盤蓋８の閉動作に応じて譜面受け１４を確実に且つ良好に連動させて閉じることができる。
【０１０２】
また、この連動機構４０は、鍵盤蓋８が回転して起立した状態に開く際に、譜面受け１４を鍵盤蓋８から離れる方向に回転させて譜面１３が載せられる状態に開くように構成されていることにより、実施形態１と同様、鍵盤蓋８を回転させて起立した状態に開く際に、連動機構３０によって譜面受け１４を自動的に回転させて譜面１３が載せられる状態に開くことができる。このため、この連動機構４０においても、実施形態１と同様、鍵盤蓋８の開閉動作に応じて譜面受け１４を自動的に連動させて開閉させることができる。
【０１０３】
この場合にも、連動機構部４０のスライド制御部２２は、鍵盤蓋８がほぼ垂直に起立した状態から更に閉じる方向に向けて回転する際に、スライダ部２１を押し上げる構成であることにより、譜面受け１４を自動的に回転させて鍵盤蓋８から離れる方向に向けて開くことができる。
【０１０４】
すなわち、このスライド制御部２２も、鍵盤蓋８がほぼ垂直に起立した状態のときに、スライド制御部２２の傾斜部２２ａがスライダ部２１の傾斜部２１ｂに接近して当接し、この状態から更に鍵盤蓋８を開く方向に回転させると、この鍵盤蓋８の回転動作に伴うスライド制御部２２の相対的な移動によって、スライダ部２１を確実に且つ良好に押し上げることができ、これにより譜面受け１４を自動的に回転させて開くことができる。
【０１０５】
さらに、連動機構部４０の連結部材４１は、譜面受け１４に設けられた連動アーム部４２と、スライダ部２１に設けられて連動アーム部４２の先端部４２ａが挿入する係合孔４３とを備えていることにより、構造が簡単で、組み立て作業も容易にできると共に、スライド部２１のスライド動作に応じて譜面受け１４を確実に且つ良好に開閉させることができる。
【０１０６】
すなわち、この連結部材４１では、スライダ部２１が自重で降下する際に、そのスライダ部２１のスライド動作に伴って係合孔４３が下側に移動して連動アーム部４２を譜面受け１４と共に回転させることができるので、この連結部材４１によって譜面受け１４を確実に鍵盤蓋８に接近させる方向に回転させて閉じることができる。
【０１０７】
また、この連結部材４１では、スライダ部２１がスライド制御部２２によって押し上げられる際に、そのスライダ部２１のスライド動作に伴って係合孔４３が上方に移動して連動アーム部４２を譜面受け１４と共に回転させることができるので、この連結部材４１によって譜面受け１４を確実に鍵盤蓋８から離れる方向に回転させて開くことができる。
【０１０８】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【０１０９】
（付記）
請求項１に記載の発明は、鍵盤部を備えた楽器本体に前記鍵盤部を開閉可能に覆う鍵盤蓋が回転可能に取り付けられ、この鍵盤蓋に譜面を載せて立て掛けるための譜面受けが回転可能に取り付けられた譜面台装置において、前記鍵盤蓋が起立して開いた状態から閉じる方向に向けて回転する際に、前記譜面受けが前記鍵盤蓋に接近して閉じる方向に向けて前記譜面受けを回転させる連動機構を備えていることを特徴とする譜面台装置である。
【０１１０】
請求項２に記載の発明は、請求項１に記載の譜面台装置において、前記連動機構は、前記鍵盤蓋にスライド可能に設けられ、前記鍵盤蓋がほぼ垂直に起立する際に自重でスライドするスライダ部と、前記楽器本体に設けられ、前記鍵盤蓋が起立して開いた状態から閉じる方向に向けて回転する際に、前記スライダ部に対する係止を解除して前記スライダ部を自重でスライドさせるスライド制御部と、前記スライダ部のスライド動作に応じて前記譜面受けを連動させて回転させる連結部材とを備えていることを特徴とする譜面台装置である。
【０１１１】
請求項３に記載の発明は、請求項１に記載の譜面台装置において、前記連動機構は、前記鍵盤蓋が回転して起立した状態に開く際に、前記譜面受けを前記鍵盤蓋から離れる方向に回転させて前記譜面が載せられる状態に開く構成であることを特徴とする譜面台装置である。
【０１１２】
請求項４に記載の発明は、請求項２または請求項３のいずれに記載の譜面台装置において、前記スライド制御部は、前記鍵盤蓋がほぼ垂直に起立して開いた状態から更に開く方向に向けて回転する際に、前記スライダ部をその自重に抗して押し上げる構成であることを特徴とする譜面台装置である。
【０１１３】
請求項５に記載の発明は、請求項２〜請求項４のいずれかに記載の譜面台装置において、前記連結部材は、その一端部が前記スライダ部に取り付けられ、他端部が前記譜面受けの回転中心から偏心した位置に取り付けられた連結線材であることを特徴とする譜面台装置である。
【０１１４】
請求項６に記載の発明は、請求項２〜請求項４のいずれかに記載の譜面台装置において、前記連結部材は、前記スライダ部に設けられたラックギアと、前記譜面受けに設けられて前記ラックギアに噛み合って回転するピニオンギアとを備えていることを特徴とする譜面台装置である。
【符号の説明】
【０１１５】
１  楽器本体
７  鍵盤部
８  鍵盤蓋
１０  支持アーム
１２  アーム支持軸
１３  譜面
１４  譜面受け
１６  回転軸
２０、３０、４０  連動機構
２１  スライダ部
２２  スライド制御部
２３、３１、４１  連結部材
３２  ラックギア
３３  ピニオンギア
４２  連動アーム部
４３  係合孔
【図１】
0005742304.tif 000002
【図２】
0005742304.tif 000003
【図３】
0005742304.tif 000004
【図４】
0005742304.tif 000005
【図５】
0005742304.tif 000006
【図６】
0005742304.tif 000007
【図７】
0005742304.tif 000008
【図８】
0005742304.tif 000009
【図９】
0005742304.tif 000010
【図１０】
0005742304.tif 000011
【図１１】
0005742304.tif 000012
【図１２】
0005742304.tif 000013
【図１３】
0005742304.tif 000014
【図１４】
0005742304.tif 000015
【図１５】
0005742304.tif 000016
【図１６】
0005742304.tif 000017
【図１７】
0005742304.tif 000018